(57)【要約】  本発明のアンテナは、向かい合う二辺に複数の起伏を備える長方形の形状を持つ第１導電パッチと、給電点に接続され、前記第１導電パッチの下にある第２導電パッチとを備える。【選択図】図１
2014517549.tif 000002
【特許請求の範囲】
【請求項１】
向かい合う二辺に複数の起伏を備える長方形の形状を持つ第１導電パッチと、
給電点に接続され、前記第１導電パッチの下に設けられた第２導電パッチと
を備える
アンテナ。
【請求項２】
前記複数の起伏は、
複数の長方形の隆起部と、
複数の長方形の溝部と
を備える
請求項１に記載のアンテナ。
【請求項３】
前記第２導電パッチは、長方形の形状を持つ
請求項２に記載のアンテナ。
【請求項４】
前記第２導電パッチの長手方向は、前記複数の隆起部の向きに平行である
請求項３に記載のアンテナ。
【請求項５】
前記第２導電パッチの長手方向は、前記複数の隆起部の向きに垂直である
請求項３に記載のアンテナ。
【請求項６】
前記第１導電パッチが含まれた第１導電層の内部に含まれている第３導電パッチと、
前記第２導電パッチが含まれた第２導電層の内部に含まれている第４導電パッチと、
前記第１、前記第２、前記第３および前記第４導電パッチを絶縁するように構成された絶縁体と
を更に備え、
前記第１パッチは、前記向かい合う二辺に前記複数の起伏を備える正方形の形状を持ち、
前記第３パッチは、向かい合う二辺に複数の起伏を備える長方形の形状を持ち、
前記複数の起伏は、
複数の長方形の隆起部と、
複数の長方形の溝部と
を備え、
前記第４パッチは、長手方向が前記第２パッチの長手方向に対して平行に配置された長方形の形状を持ち、給電点に接続されている
請求項３に記載のアンテナ。
【請求項７】
前記第２導電パッチの前記長手方向は、前記第１導電パッチの前記隆起部の向きに平行であり、
前記第４導電パッチの前記長手方向は、前記第３導電パッチの前記隆起部の向きに平行である
請求項６に記載のアンテナ。
【請求項８】
前記第２導電パッチの前記長手方向は、前記第１導電パッチの前記隆起部の向きに平行であり、
前記第４導電パッチの前記長手方向は、前記第３導電パッチの前記隆起部の向きに垂直である
請求項６に記載のアンテナ。
【請求項９】
前記第１導電層の内部に含まれている第５導電パッチと、
前記第２導電層の内部に含まれている第６導電パッチと、
前記第１導電層の内部に含まれている第７導電パッチと、
前記第２導電層の内部に含まれている第８導電パッチと
を更に備え、
前記第１、前記第２、前記第３、前記第４、前記第５、前記第６、前記第７および前記第８導電パッチは、前記絶縁体によって互いに絶縁されており、
前記第５および前記第７導電パッチのそれぞれは、向かい合う二辺に複数の起伏を備える長方形の形状を持ち、
前記複数の起伏のそれぞれは、
複数の長方形の隆起部と
複数の長方形の溝部と
を備え、
前記第６および前記第８導電パッチのそれぞれは、長手方向が前記第２パッチの前記長手方向に対して平行に配置された長方形の形状を持ち、給電点に更に接続され、
前記第５および前記第７導電パッチの前記複数の隆起部は、前記第６および前記第８パッチの前記長手方向に対してそれぞれ平行に配置されている
請求項７に記載のアンテナ。
【請求項１０】
前記第１導電層の内部に含まれている第５導電パッチと、
前記第２導電層の内部に含まれている第６導電パッチと、
前記第１導電層の内部に含まれている第７導電パッチと、
前記第２導電層の内部に含まれている第８導電パッチと
を更に備え、
前記第１、前記第２、前記第３、前記第４、前記第５、前記第６、前記第７および前記第８導電パッチは、前記絶縁体によって互いに絶縁されており、
前記第５および前記第７導電パッチのそれぞれは、向かい合う二辺に複数の起伏を備える長方形の形状を持ち、
前記複数の起伏は、
複数の長方形の隆起部と
複数の長方形の溝部と
を備え、
前記第６および前記第８導電パッチのそれぞれは、長手方向が前記第２パッチの前記長手方向に対して平行に配置された長方形の形状を持ち、給電点に更に接続され、
前記第５導電パッチの前記複数の隆起部は、前記第６パッチの前記長手方向に対して平行に配置され、
前記第７導電パッチの前記複数の隆起部は、前記第８パッチの前記長手方向に対して垂直に配置されている
請求項８に記載のアンテナ。
【発明の詳細な説明】
【技術分野】
【０００１】
本発明は、マイクロ波およびミリ波のブロードバンドアンテナに関する。
【背景技術】
【０００２】
アンテナは、無線通信システムにおいて重要な要素である。市場でそのようなシステムを打ち勝たせるためには、小型化および低コスト化されたアンテナが必要である。また、システムの手段によって高速データ通信を提供するためには、アンテナの帯域幅がより広くなければならない。これらの目標を達成するためには、多層基板技術に基づくパッチアンテナが可能な解決策の一つである。
【０００３】
ＵＳ２０１０／０１９４６４３Ａ１において、広帯域のパッチアンテナが開示されている。このパッチアンテナにおいて、周波数帯域の幅の拡大を提供するために、らせん形状のプローブが使われている。
【０００４】
ＵＳ７４３２８６２において、ブロードバンドパッチアンテナが提案されている。この発明におけるブロードバンド幅は、十字型に形成されたパッチによって得られる。
【０００５】
しかしながら、コストおよび電気的特性は、これらのパッチアンテナにとって主要な問題であり、改善されるべきである。
【０００６】
このように、費用対効果が高く、小型で、広帯域幅で使用されるパッチアンテナを得ることは重要である。
【先行技術文献】
【特許文献】
【０００７】
【特許文献１】ＵＳ２０１０／０１９４６４３Ａ１
【特許文献２】ＵＳ７４３２８６２
【発明の概要】
【０００８】
本発明の目的は、通信システムの広帯域幅動作を提供することができる多層基板技術を用いてパッチアンテナを形成することである。ここで、前述の広帯域幅動作は、角または端部に起伏を持つパッチを多層基板の内部に形成することによって得られる。
【０００９】
この発明の他の目的は、隆起部が第１導電パッチの下に配置された第２の長方形パッチの長手方向に対して平行となるように、パッチの角またはパッチの端部に起伏を形成することである。
【００１０】
この発明の他の目的は、隆起部が第１導電パッチの下に配置された第２の長方形パッチの長手方向に対して垂直となるように、パッチの角またはパッチの端部に起伏を形成することである。
【００１１】
本発明のアンテナは、長方形の形状を持ち、その向かい合う二辺に起伏を備える第１導電パッチと、給電点に接続され、前記第１導電パッチの下にある第２導電パッチと、前記第１および前記第２導電パッチの間にある絶縁体とを含んでいる。
【図面の簡単な説明】
【００１２】
【図１】図１は、第１パッチの隆起部が、第２パッチの長手方向に対して平行に向けられた起伏を持つアンテナの上面図である。
【図２】図２は、第１パッチの隆起部が、第２パッチの長手方向に対して垂直に向けられた起伏を持つアンテナの上面図である。
【図３】図３は、関連技術によるアンテナの上面図である。
【図４Ａ】図４Ａは、第１パッチの隆起部が、第２パッチの長手方向に対して平行に向けられた起伏を持ち、多層基板の内部に配置されているアンテナの上面図である。
【図４Ｂ】図４Ｂは、図４Ａに図示したアンテナの、断面線４Ｂによる垂直断面図である。
【図４Ｃ】図４Ｃは、図４Ａに図示したアンテナの、断面線４Ｃによる垂直断面図である。
【図４Ｄ】図４Ｄは、図４Ｂおよび４Ｃに図示したアンテナの、断面線４Ｄによる水平断面図である。
【図５Ａ】図５Ａは、第１パッチの隆起部が、第２パッチの長手方向に対して垂直に向けられた起伏を持ち、多層基板の内部に配置されているアンテナの上面図である。
【図５Ｂ】図５Ｂは、図５Ａに図示したアンテナの、断面線５Ｂによる垂直断面図である。
【図５Ｃ】図５Ｃは、図５Ａに図示したアンテナの、断面線５Ｃによる垂直断面図である。
【図５Ｄ】図５Ｄは、図５Ｂおよび５Ｃに図示したアンテナの、断面線５Ｄによる水平断面図である。
【図６】図６は、帯域に対して、パッチ端部における起伏がもたらす効果を、反射損失のシミュレーション結果として示すグラフ群である。
【図７】図７は、帯域に対して、パッチ端部における起伏がもたらす効果を、反射損失のシミュレーション結果として示すグラフ群である。
【図８】図８は、２つの素子を有し、第１素子においては第１パッチが、第２パッチの長手方向に対して平行に向けられた起伏を持ち、第２素子においては第１パッチが第２パッチの長手方向に対して垂直に向けられた起伏を持つアンテナの、上面図である。
【図９】図９は、２つの素子を有し、第１素子においては第１パッチが、第２パッチの長手方向に対して平行に向けられた起伏を持ち、第２素子においても第１パッチが第２パッチの長手方向に対して平行に向けられた起伏を持つアンテナの、上面図である。
【図１０】図１０は、第１パッチの起伏が、第２パッチの長手方向に対して平行に向けられた隆起部を有する４つの素子を含むアンテナアレイの上面図である。
【図１１】図１１は、第１パッチの起伏が、第２パッチの長手方向に対して平行に向けられた隆起部および垂直に向けられた隆起部の両方を有する４つの要素を備えるアンテナアレイの上面図である。
【図１２】図１２は、第１パッチの起伏が、第２パッチの長手方向に対して平行に向けられた隆起部および垂直に向けられた隆起部の両方を有する４つの要素を備えるアンテナアレイの上面図である。
【発明を実施するための形態】
【００１３】
以下、本発明における、多層基板内に配置されたブロードバンドパッチアンテナのいくつかの種類を、添付図面を参照して詳細に説明する。ただし、この説明は、添付された請求項の権利範囲を狭めるように解釈されてはならない。
【００１４】
（第１実施形態）
図１には、ブロードバンドパッチアンテナの典型的な実施形態が示されている。この実施形態において、アンテナは、多層基板１０４の内部に形成されている。多層基板１０４は、第１導電層と、第２導電層とを含んでいる。第１導電層は、第１導電パッチ１０１を含んでいる。第２導電層は、第２導電パッチ１０３を含んでいる。第１導電パッチ１０１は、長方形の形状を有し、その向かい合う二辺に複数の起伏１０２を備える。起伏１０２は、長方形の隆起部１０７と、長方形の溝部１０９とを含んでいる。第２導電パッチ１０３は、長方形の形状を持つ。
【００１５】
多層基板１０４は、絶縁体と第３導電層とを更に含んでいてもよいが、双方とも図１には示されていない。この場合、第３導電層は、図１に示されていないグラウンド板を含んでいてもよい。
【００１６】
第２導電層は、第１導電層の下に配置されている。したがって、第２導電パッチ１０３は、第１導電パッチ１０１の下に設けられている。第２導電パッチ１０３の一端は、給電点１０８に接続されている。
【００１７】
絶縁体は、第１パッチ１０１および第２パッチ１０３の間に配置することができる。グラウンド板は、第１パッチ１０１および第２パッチ１０３の下にあってもよく、この場合、絶縁体は、第２パッチ１０３とグラウンド板との間に配置されていてもよい。
【００１８】
複数の起伏１０２は、アンテナの帯域幅を広くするために作られている。
【００１９】
第２導電パッチ１０３の向きに対する起伏１０２の隆起部１０７の方向は、本発明の特徴的かつ重要なポイントであることに留意すべきである。図１に示される特徴的な実施形態において、起伏１０２の隆起部１０７は、第２導電パッチ１０３の長手方向に対して平行に向けられている。この場合、第２導電パッチ１０３から放射された電場は、起伏１０２の隆起部１０７に対して平行である。その結果、起伏１０２の電磁場の特性をおおよそ１次元の容量性グリッド（inductive grid）で表すことができ、インピーダンスＺ（ｇ，ｉｎｄ）をおおよそ次のように定義することができる。
【数１】
2014517549.tif 000003
ここで、ｊは−１の平方根であり、Ｚｓは第１導電パッチ１０１および第２導電パッチ１０３の間の絶縁体の特性インピーダンスであり、図１に示されるように、ｔは起伏１０２のピッチ幅であり、ｗは１つ分の隆起部１０７の幅である。
【００２０】
このように、複数の隆起部１０７が給電用第２パッチ１０３の長手方向に対して平行に向いている、第１導電パッチ１０１の複数の起伏１０２は、インピーダンス変換回路を提供し、パッチアンテナの帯域幅を広くするために使用される。
【００２１】
（第２実施形態）
図２において、ブロードパッチアンテナの他の典型的な実施形態が示される。この実施形態では、アンテナは多層基板２０４の中に形成されている。多層基板２０４は、第１導電層と、第２導電層とを含んでいる。第１導電層は、第１導電パッチ２０１を含んでいる。第２導電層は、第２導電パッチ２０３を含んでいる。第１導電パッチ２０１は、長方形の形状を有しており、その向かい合う二辺に複数の起伏２０２を備える。起伏２０２は、長方形の隆起部２０７と、長方形の溝部２０９とを含んでいる。第２導電パッチ２０３は、長方形の形状を持つ。
【００２２】
多層基板２０４は、絶縁体と第３導電層とを更に含んでいてもよく、双方とも図２には示されていない。この場合、第３導電層は、図２に示されていないグラウンド板を含んでいてもよい。
【００２３】
第２導電層は、第１導電層の下に配置されている。したがって、第２導電パッチ２０３は、第１導電パッチ２０１の下に設けられている。第２導電パッチ２０３の一端は、給電点２０８に接続されている。
【００２４】
絶縁体は、第１パッチ２０１および第２パッチ２０３の間に配置することができる。グラウンド板は、第１パッチ２０１および第２パッチ２０３の下にあってもよく、この場合、絶縁体は、第２導電パッチ２０２とグラウンド板との間に配置されていてもよい。
【００２５】
複数の起伏２０２は、アンテナの帯域幅を広くするために作られている。
【００２６】
【数２】
2014517549.tif 000004
【００２７】
したがって、給電用パッチの長手方向に対して垂直に向けられたパッチの複数の起伏は、他のインピーダンス変換回路を与える。
【００２８】
（関連技術）
図３において、関連技術によるパッチアンテナの構成が示される。この構成では、起伏がない第１導電パッチ３０１と、第２導電パッチ３０３とが多層基板３０４の中に形成されている。第２導電パッチ３０３は、給電点３０８に接続されている。
【００２９】
（第３実施形態）
ブロードパッチアンテナの他の典型的な実施形態が図４Ａから４Ｄに示される。図４Ａは、このアンテナの上面図である。図４Ｂは、図４Ａの断面線４Ｂによるこのアンテナの垂直断面図である。図４Ｃは、図４Ａの断面線４Ｃによるこのアンテナの垂直断面図である。図４Ｄは、図４Ｂおよび４Ｃの断面線４Ｄによるこのアンテナの水平断面図である。
【００３０】
この実施形態において、これらの図に示されるアンテナは、３導電層基板４０４の中に形成されている。３導電層基板４０４は、第１導電層４Ｌ１と、第２導電層４Ｌ２と、第３導電層４Ｌ３と、絶縁体４０６とを含んでいる。
【００３１】
第１導電層４Ｌ１は、第１導電パッチ４０１を含んでいる。第２導電層４Ｌ２は、第２導電パッチ４０３を含んでいる。第３導電層４Ｌ３は、グラウンド板４０５を含んでいる。第１導電パッチ４０１は、正方形の形状を有し、その向かい合う二辺に複数の起伏４０２を備える。起伏４０２は、長方形の隆起部４０７と、長方形の溝部４０７とを含んでいる。第２導電パッチ４０３は、長方形の形状を持つ。
【００３２】
第２導電層４Ｌ２は、第１導電層４Ｌ１の下に配置されている。第３導電層４Ｌ３は、第２導電層４Ｌ２の下に配置されている。その結果、第２導電パッチ４０３は、第１導電パッチ４０１の下に配置され、グラウンド板４０５は、第２導電パッチ４０３の下に配置されている。第２導電パッチ４０３の一端は、給電点４０８に接続されている。絶縁体４０６は、第１導電パッチ４０１と第２導電パッチ４０３との間、および、第２導電パッチ４０３とグラウンド板４０５との間に配置されている。
【００３３】
このアンテナにおいて、複数の起伏４０２の複数の隆起部４０７は、第２導電パッチ４０３の長手方向に対して平行に向けられている。このように、帯域幅の拡大が提供される。
【００３４】
（第４実施形態）
図５Ａから５Ｄにおいて、ブロードパッチアンテナの他の典型的な実施形態が与えられる。図５Ａは、このアンテナの上面図である。図５Ｂは、図５Ａの断面線５Ｂによるこのアンテナの垂直断面図である。図５Ｃは、図５Ａの断面線５Ｃによるこのアンテナの垂直断面図である。図５Ｄは、図５Ｂおよび５Ｃの断面線５Ｄによるこのアンテナの水平断面図である。
【００３５】
この実施形態において、これらの図に示されるアンテナは、３導電層基板５０４の中に形成されている。３導電層基板５０４は、第１導電層５Ｌ１と、第２導電層５Ｌ２と、第３導電層５Ｌ３と、絶縁体５０６とを含んでいる。
【００３６】
第１導電層５Ｌ１は、第１導電パッチ５０１を含んでいる。第２導電層５Ｌ２は、第２導電パッチ５０３を含んでいる。第３導電層５Ｌ３は、グラウンド板５０５を含んでいる。第１導電パッチ５０１は、正方形の形状を有し、その向かい合う二辺に複数の起伏５０２を備える。起伏５０２は、長方形の隆起部５０７と、長方形の溝部５０７とを含んでいる。第２導電パッチ５０３は、長方形の形状を持つ。
【００３７】
第２導電層５Ｌ２は、第１導電層５Ｌ１の下に配置されている。第３導電層５Ｌ３は、第２導電層５Ｌ２の下に配置されている。その結果、第２導電パッチ５０３は、第１導電パッチ５０１の下に配置され、グラウンド板５０５は、第２導電パッチ５０３の下に配置されている。第２導電パッチ５０３の一端は、給電点５０８に接続されている。絶縁体５０６は、第１導電パッチ５０１と第２導電パッチ５０３との間、および、第２導電パッチ５０３とグラウンド板５０５との間に配置されている。
【００３８】
このアンテナにおいて、複数の起伏５０２の複数の隆起部５０７は、第２導電パッチ５０３の長手方向に対して垂直に向けられている。
【００３９】
帯域幅に対する起伏の効果を示すため、本発明によるパッチアンテナおよび関連技術によるパッチアンテナについての反射損失（｜Ｓ１１｜パラメータ）を、有限差分時間領域（ＦＤＴＤ）法によってシミュレーションした。この方法は、最も広く使われている方法の一つである。
【００４０】
ここで検討されている、本発明によるパッチアンテナは、図４Ａ−４Ｄに示されるものと類似している。このアンテナの特徴的なパラメータは、次の通りである。正方形の形状を持つ第１導電パッチ４０１の辺Ｓは０．７５ｍｍであり、第２導電パッチ４０３の幅Ｗｐは、０．０８ｍｍであり、基板４０４合計厚みＴＴｈは、０．５３ｍｍであり、第１、第２および第３導電層４Ｌ１、４Ｌ２、４Ｌ３の厚みＴｈは、それぞれ０．０１ｍｍである。絶縁体４０６として、５．３の相対誘電率および０．００４の損失係数を有するＬＴＴＣ（Ｌｏｗ  Ｔｅｍｐｅｒａｔｕｒｅ  Ｃｏ−ｆｉｒｉｎｇ  Ｃｅｒａｍｉｃ：低温同時焼結セラミック）が使用された。シミュレーションされたアンテナにおいて、起伏の寸法は以下のとおりである。隆起部４０７の幅Ｗは、０．０５ｍｍであり、起伏４０２のピッチｔは、０．１ｍｍであり、溝部５０７の深さＤは、０．１８ｍｍである。
【００４１】
図６において、２つのグラフのグループが示される。第１のグラフ６０１は、図３に示される関連技術のパッチアンテナのように、起伏を設けない滑らかな側面のパッチを持つパッチアンテナが得られた場合の数値解析結果を示す。第２のグラフ６０２は、図４Ａから４Ｄのように起伏を設けたパッチを持つ上述のアンテナでシミュレーションされたデータを示す。
【００４２】
見て分かるように、起伏を設けたパッチを持つアンテナは、側面が滑らかなパッチを持つアンテナと比べて非常に広い帯域幅を有する。
【００４３】
なお、起伏の深さＤは、本発明のパッチアンテナの帯域幅を制御する上で有効なパラメータである。図７において、２つのグラフのグループが示される。第１のグラフ７０１は、図６の第１のグラフ６０１と同一である。第２のグラフ７０２は、０．２２ｍｍの深さＤを持つ起伏のパッチアンテナでシミュレーションされたデータを示す。このアンテナにおいて、他の寸法は図６と同じである。このように、起伏の深さが増加することによって、この図に示すように、パッチアンテナの帯域幅が拡大する。
【００４４】
（第５実施形態）
本発明によるブロードパッチアンテナは、アンテナアレイを形成するための素子として使われる。図８において、本発明のアンテナアレイの典型的な実施形態が示される。このアンテナアレイは、多層基板８０４の内部に形成された２つのアンテナ素子を配列したものである。
【００４５】
図８に示されるアンテナアレイの第１アンテナ素子は、図４Ａから４Ｄに示されるアンテナに類似している。第１アンテナ素子は、第１導電パッチ８０１と、第２導電パッチ８０３とを含んでいる。第１導電パッチ８０１は、長方形の形状を有しており、その向かい合う二辺に複数の起伏８０２を備える。起伏８０２は、長方形の隆起部８０７と、長方形の溝部８０９とを含んでいる。第２導電パッチ８０３の一端は、給電点８０８に接続されている。図８に示される、第１導電パッチ８０１と、第２導電パッチ８０３と、起伏８０２と、隆起部８０７と、溝部８０９と、給電点８０８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００４６】
図８に示されるアンテナアレイの第２アンテナ素子は、図５Ａから５Ｄに示されるアンテナに類似している。第２アンテナ素子は、第１導電パッチ８１１と、第２導電パッチ８１３とを含んでいる。第１導電パッチ８１１は、長方形の形状を有し、その向かい合う二辺に複数の起伏８１２を備える。起伏８１２は、長方形の隆起部８１７と、長方形の溝部８１９とを含んでいる。第２導電パッチ８１３の一端は、給電点８１８に接続されている。図８に示される、第１導電パッチ８１１と、第２導電パッチ８１３と、起伏８１２と、隆起部８１７と、溝部８１９と、給電点８１８とにおける他の特徴、配置および関係は、図５に示される、第１導電パッチ５０１と、第２導電パッチ５０３と、起伏５０２と、隆起部５０７と、溝部５０９と、給電点５０８とにおけるそれらにそれぞれ類似している。
【００４７】
第２導電パッチ８０３および８１３は、平行に配置されている。第１素子において、起伏８０２の隆起部は、第２導電パッチ８０３の長手方向に対して平行に向けられており、また、第２素子において、起伏８１２の隆起部は、第２導電パッチ８１３の長手方向に対して垂直に向けられている。図８に表されるアンテナアレイが放射場において円偏光または楕円偏光を得るためには特に有効であることが強調されるべきである。
【００４８】
（第６実施形態）
アンテナアレイの他の典型的な実施形態が図９に示される。このアンテナアレイは、多層基板９０４の内部に形成された２つのアンテナ素子の配列である。
【００４９】
図９に示されるアンテナアレイの第１アンテナ素子および第２アンテナ素子は、両方とも、図４Ａから４Ｄに示されるアンテナに類似している。第１アンテナ素子は、第１導電パッチ９０１と、第２導電パッチ９０３とを含んでいる。第１導電パッチ９０１は、長方形の形状を有し、その向かい合う二辺に複数の起伏９０２を備える。起伏９０２は、長方形の隆起部９０７と、長方形の溝部９０９とを含んでいる。第２導電パッチ９０３の一端は、給電点９０８に接続されている。図９に示される、第１導電パッチ９０１と、第２導電パッチ９０３と、起伏９０２と、隆起部９０７と、溝部９０９と、給電点９０８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００５０】
第２アンテナ素子は、第１導電パッチ９１１と、第２導電パッチ９１３とを含んでいる。第１導電パッチ９１１は、長方形の形状を有し、その向かい合う二辺に複数の起伏９１２を備える。起伏９１２は、長方形の隆起部９１７と、長方形の溝部９１９とを含んでいる。第２導電パッチ９１３の一端は、給電点９１８に接続されている。図９に示される、第１導電パッチ９１１と、第２導電パッチ９１３と、起伏９１２と、隆起部９１７と、溝部９１９と、給電点９１８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ類似している。
【００５１】
第２導電パッチ９１３および９１３は、平行に配置されている。第１および第２アンテナ素子において、起伏９０２および９１２の隆起部９０７および９１７は、第２導電パッチ９１３および９１３の長手方向に対して平行に向けられている。
【００５２】
（第７実施形態）
アンテナアレイを構成するアンテナ素子の数が異なっていてもよいことは良く理解されるべきである。図１０において、４つのアンテナ素子を持つアンテナアレイの典型的な実施形態が示される。これら４つのアンテナ素子は、多層基板１００４の内部に形成されている。
【００５３】
図１０に示されるアンテナアレイの４つのアンテナ素子のそれぞれは、図４Ａから４Ｄに示されるアンテナに類似している。第１アンテナ素子は、第１導電パッチ１００１と、第２導電パッチ１００３とを含んでいる。第１導電パッチ１００１は、長方形の形状を有し、その向かい合う二辺に複数の起伏１００２を備える。起伏１００２は、長方形の隆起部１００７と、長方形の溝部１００９とを含んでいる。第２導電パッチ１００３の一端は、給電点１００８に接続されている。図１０に示される、第１導電パッチ１００１と、第２導電パッチ１００３と、起伏１００２と、隆起部１００７と、溝部１００９と、給電点１００８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００５４】
第２アンテナ素子は、第１導電パッチ１０１１と、第２導電パッチ１０１３とを含んでいる。第１導電パッチ１０１１は、長方形の形状を有し、その向かい合う二辺に複数の起伏１０１２を備える。起伏１０１２は、長方形の隆起部１０１７と、長方形の溝部１０１９とを含んでいる。第２導電パッチ１０１３の一端は、給電点１０１８に接続されている。図１０に示される、第１導電パッチ１０１１と、第２導電パッチ１０１３と、起伏１０１２と、隆起部１０１７と、溝部１０１９と、給電点１０１８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００５５】
第３アンテナ素子は、第１導電パッチ１０２１と、第２導電パッチ１０２３とを含んでいる。第１導電パッチ１０２１は、長方形の形状を有し、その向かい合う二辺に複数の起伏１０２２を備える。起伏１０２２は、長方形の隆起部１０２７と、長方形の溝部１０２９とを含んでいる。第２導電パッチ１０２３の一端は、給電点１０２８に接続されている。図１０に示される、第１導電パッチ１０２１と、第２導電パッチ１０２３と、起伏１０２２と、隆起部１０２７と、溝部１０２９と、給電点１０２８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００５６】
第４アンテナ素子は、第１導電パッチ１０３１と、第２導電パッチ１０３３とを含んでいる。第１導電パッチ１０３１は、長方形の形状を有し、その向かい合う二辺に複数の起伏１０３２を備える。起伏１０３２は、長方形の隆起部１０３７と、長方形の溝部１０３９とを含んでいる。第２導電パッチ１０３３の一端は、給電点１０３８に接続されている。図１０に示される、第１導電パッチ１０３１と、第２導電パッチ１０３３と、起伏１０３２と、隆起部１０３７と、溝部１０３９と、給電点１０３８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００５７】
第２導電パッチ１００３、１０１３、１０２３および１０３３は、平行に配置されている。第２導電パッチ１００３および１０３３は、反対方向に配列されている。第２導電パッチ１０１３および１０２３は、反対方向に配列されている。第１導電パッチ１００１、１０１１、１０２１および１０３１は、これらの中心が正方形または長方形の各角となるように配置されている。これらアンテナ素子における起伏１００２、１０１２、１０２２および１０３２の隆起部１００７、１０１７、１０２７および１０３７は、それぞれ、第２導電パッチ１００３、１０１３、１０２３および１０３３の長手方向に平行に向けられている。
【００５８】
（第８実施形態）
４つのアンテナ素子を持つアンテナアレイの他の典型的な実施形態が図１１に示される。この実施形態において、これら４つのアンテナ素子は、多層基板１１０４の内部に配置されている。
【００５９】
図１１に示されるアンテナアレイの第１アンテナ素子は、図４Ａから４Ｄに示されるアンテナに類似している。第１アンテナ素子は、第１導電パッチ１１０１と、第２導電パッチ１１０３とを含んでいる。第１導電パッチ１１０１は、長方形の形状を有し、その向かい合う二辺に複数の起伏１１０２を備える。起伏１１０２は、長方形の隆起部１１０７と、長方形の溝部１１０９とを含んでいる。第２導電パッチ１１０３の一端は、給電点１１０８に接続されている。図１１に示される、第１導電パッチ１１０１と、第２導電パッチ１１０３と、起伏１１０２と、隆起部１１０７と、溝部１１０９と、給電点１１０８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００６０】
図１１に示されるアンテナアレイの第２アンテナ素子は、図５Ａから５Ｄに示されるアンテナに類似している。第２アンテナ素子は、第１導電パッチ１１１１と、第２導電パッチ１１１３とを含んでいる。第１導電パッチ１１１１は、長方形の形状を有し、その向かい合う二辺に複数の起伏１１１２を備える。起伏１１１２は、長方形の隆起部１１１７と、長方形の溝部１１１９とを含んでいる。第２導電パッチ１１１３の一端は、給電点１１１８に接続されている。図１１に示される、第１導電パッチ１１１１と、第２導電パッチ１１１３と、起伏１１１２と、隆起部１１１７と、溝部１１１９と、給電点１１１８とにおける他の特性、配置および関係は、図５に示される、第１導電パッチ５０１と、第２導電パッチ５０３と、起伏５０２と、隆起部５０７と、溝部５０９と、給電点５０８とにおけるそれらにそれぞれ対応している。
【００６１】
図１１に示されるアンテナアレイの第３アンテナ素子は、図４Ａから４Ｄに示されるアンテナに類似している。第３アンテナ素子は、第１導電パッチ１１２１と、第２導電パッチ１１２３とを含んでいる。第１導電パッチ１１２１は、長方形の形状を有し、その向かい合う二辺に複数の起伏１１２２を備える。起伏１１２２は、長方形の隆起部１１２７と、長方形の溝部１１２９とを含んでいる。第２導電パッチ１１２３の一端は、給電点１１２８に接続されている。図１１に示される、第１導電パッチ１１２１と、第２導電パッチ１１２３と、起伏１１２２と、隆起部１１２７と、溝部１１２９と、給電点１１２８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００６２】
図１１に示されるアンテナアレイの第４アンテナ素子は、図５Ａから５Ｄに示されるアンテナに類似している。第４アンテナ素子は、第１導電パッチ１１３１と、第２導電パッチ１１３３とを含んでいる。第１導電パッチ１１３１は、長方形の形状を有し、その向かい合う二辺に複数の起伏１１３２を備える。起伏１１３２は、長方形の隆起部１１３７と、長方形の溝部１１３９とを含んでいる。第２導電パッチ１１３３の一端は、給電点１１３８に接続されている。図１１に示される、第１導電パッチ１１３１と、第２導電パッチ１１３３と、起伏１１３２と、隆起部１１３７と、溝部１１３９と、給電点１１３８とにおける他の特性、配置および関係は、図５に示される、第１導電パッチ５０１と、第２導電パッチ５０３と、起伏５０２と、隆起部５０７と、溝部５０９と、給電点５０８とにおけるそれらにそれぞれ対応している。
【００６３】
第２導電パッチ１１０３、１１１３、１１２３および１１３３は、平行に配置されている。第２導電パッチ１１０３および１１３３は、反対方向に配列されている。第２導電パッチ１１１３および１１２３は、反対方向に配列されている。第１導電パッチ１１０１、１１１１、１１２１および１１３１は、これらの中心が正方形または長方形の各角となるように配置されている。
【００６４】
なお、起伏１１０２および１１２２の隆起部１１０７および１１２７は、長方形である第２導電パッチ１１０３および１１２３の長手方向に対してそれぞれ平行であり、また、起伏１１１２および１１３２の隆起部１１１７および１１３７は、長方形である第２導電パッチ１１１３および１１３３の長手方向に対してそれぞれ垂直である。このようなアンテナ素子の配列は、放射場において円偏光または楕円偏光を得るために適用することができる。
【００６５】
（第９実施形態）
図１２において、４つのアンテナ素子を持つアンテナアレイの他の典型的な実施形態が示される。この実施形態において、これら４つのアンテナ素子は、多層基板１２０４の内部に配置されている。
【００６６】
図１２に示されるアンテナアレイの第１アンテナ素子は、図４Ａから４Ｄに示されるアンテナに類似している。第１アンテナ素子は、第１導電パッチ１２０１と、第２導電パッチ１２０３とを含んでいる。第１導電パッチ１２０１は、長方形の形状を有し、その向かい合う二辺に複数の起伏１２０２を備える。起伏１２０２は、長方形の隆起部１２０７と、長方形の溝部１２０９とを含んでいる。第２導電パッチ１２０３の一端は、給電点１２０８に接続されている。図１２に示される、第１導電パッチ１２０１と、第２導電パッチ１２０３と、起伏１２０２と、隆起部１２０７と、溝部１２０９と、給電点１２０８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００６７】
図１２に示されるアンテナアレイの第２アンテナ素子は、図５Ａから５Ｄに示されるアンテナに類似している。第２アンテナ素子は、第１導電パッチ１２１１と、第２導電パッチ１２１３とを含んでいる。第１導電パッチ１２１１は、長方形の形状を有し、その向かい合う二辺に複数の起伏１２１２を備える。起伏１２１２は、長方形の隆起部１２１７と、長方形の溝部１２１９とを含んでいる。第２導電パッチ１２１３の一端は、給電点１２１８に接続されている。図１２に示される、第１導電パッチ１２１１と、第２導電パッチ１２１３と、起伏１２１２と、隆起部１２１７と、溝部１２１９と、給電点１２１８とにおける他の特性、配置および関係は、図５に示される、第１導電パッチ５０１と、第２導電パッチ５０３と、起伏５０２と、隆起部５０７と、溝部５０９と、給電点５０８とにおけるそれらにそれぞれ対応している。
【００６８】
図１２に示されるアンテナアレイの第３アンテナ素子は、図５Ａから５Ｄに示されるアンテナに類似している。第３アンテナ素子は、第１導電パッチ１２２１と、第２導電パッチ１２２３とを含んでいる。第１導電パッチ１２２１は、長方形の形状を有し、その向かい合う二辺に複数の起伏１２２２を備える。起伏１２２２は、長方形の隆起部１２２７と、長方形の溝部１２２９とを含んでいる。第２導電パッチ１２２３の一端は、給電点１２２８に接続されている。図１２に示される、第１導電パッチ１２２１と、第２導電パッチ１２２３と、起伏１２２２と、隆起部１２２７と、溝部１２２９と、給電点１２２８とにおける他の特性、配置および関係は、図５に示される、第１導電パッチ５０１と、第２導電パッチ５０３と、起伏５０２と、隆起部５０７と、溝部５０９と、給電点５０８とにおけるそれらにそれぞれ対応している。
【００６９】
図１２に示されるアンテナアレイの第４アンテナ素子は、図４Ａから４Ｄに示されるアンテナに類似している。第４アンテナ素子は、第１導電パッチ１２３１と、第２導電パッチ１２３３とを含んでいる。第１導電パッチ１２３１は、長方形の形状を有し、その向かい合う二辺に複数の起伏１２３２を備える。起伏１２３２は、長方形の隆起部１２３７と、長方形の溝部１２３９とを含んでいる。第２導電パッチ１２３３の一端は、給電点１２３８に接続されている。図１２に示される、第１導電パッチ１２３１と、第２導電パッチ１２３３と、起伏１２３２と、隆起部１２３７と、溝部１２３９と、給電点１２３８とにおける他の特性、配置および関係は、図４に示される、第１導電パッチ４０１と、第２導電パッチ４０３と、起伏４０２と、隆起部４０７と、溝部４０９と、給電点４０８とにおけるそれらにそれぞれ対応している。
【００７０】
第２導電パッチ１２０３、１２１３、１２２３および１２３３は、平行に配置されている。第２導電パッチ１２０３および１２３３は、反対方向に配列されている。第２導電パッチ１２１３および１２２３は、反対方向に配列されている。第１導電パッチ１２０１、１２１１、１２２１および１２３１は、これらの中心が正方形または長方形の各角となるように配置されている。
【００７１】
この典型的な実施形態において、起伏１２０２および１２３２の隆起部１２０７および１２３７は、長方形の第２導電パッチ１２０３および１２２３の長手方向に対してそれぞれ平行であり、また、起伏１２１２および１２２２の隆起部１２１７および１２２７は、長方形の第２導電パッチ１２１３および１１２３の長手方向に対してそれぞれ垂直である。アンテナ素子のこの配列は、放射場において円偏光または楕円偏光を得るためにも使用することができる。
【００７２】
また、本発明は、いくつかの典型的な実施形態に関連づけて説明されているが、これらの実施形態が一例による説明の目的のためであり、限定のためではないことを理解されたい。また、本明細書を読む当業者にとって、類似の要素や技術によって様々な変形や置換が容易になされ得ることは明らかであるが、そのような変形や置換がクレームによって定義される正当な範囲かつ本発明の精神の内にあることは明らかである。
【図１】
2014517549.tif 000005
【図２】
2014517549.tif 000006
【図３】
2014517549.tif 000007
【図４Ａ】
2014517549.tif 000008
【図４Ｂ】
2014517549.tif 000009
【図４Ｃ】
2014517549.tif 000010
【図４Ｄ】
2014517549.tif 000011
【図５Ａ】
2014517549.tif 000012
【図５Ｂ】
2014517549.tif 000013
【図５Ｃ】
2014517549.tif 000014
【図５Ｄ】
2014517549.tif 000015
【図６】
2014517549.tif 000016
【図７】
2014517549.tif 000017
【図８】
2014517549.tif 000018
【図９】
2014517549.tif 000019
【図１０】
2014517549.tif 000020
【図１１】
2014517549.tif 000021
【図１２】
2014517549.tif 000022
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
向かい合う二辺に複数の起伏を備える長方形の形状を持つ第１導電パッチと、
給電点に接続され、前記第１導電パッチの下に設けられた第２導電パッチと
を備える
アンテナ。
【請求項２】
前記複数の起伏は、
複数の長方形の隆起部と、
複数の長方形の溝部と
を備える
請求項１に記載のアンテナ。
【請求項３】
前記第２導電パッチは、長方形の形状を持つ
請求項２に記載のアンテナ。
【請求項４】
前記第２導電パッチの長手方向は、前記複数の隆起部の向きに平行である
請求項３に記載のアンテナ。
【請求項５】
前記第２導電パッチの長手方向は、前記複数の隆起部の向きに垂直である
請求項３に記載のアンテナ。
【請求項６】
前記第１導電パッチが含まれた第１導電層の内部に含まれている第３導電パッチと、
前記第２導電パッチが含まれた第２導電層の内部に含まれている第４導電パッチと、
前記第１、前記第２、前記第３および前記第４導電パッチを絶縁するように構成された絶縁体と
を更に備え、
前記第１導電パッチは、前記向かい合う二辺に前記複数の起伏を備える正方形の形状を持ち、
前記第３導電パッチは、向かい合う二辺に複数の起伏を備える長方形の形状を持ち、
前記複数の起伏は、
複数の長方形の隆起部と、
複数の長方形の溝部と
を備え、
前記第４導電パッチは、長手方向が前記第２導電パッチの長手方向に対して平行に配置された長方形の形状を持ち、給電点に接続されている
請求項３に記載のアンテナ。
【請求項７】
前記第２導電パッチの前記長手方向は、前記第１導電パッチの前記隆起部の向きに平行であり、
前記第４導電パッチの前記長手方向は、前記第３導電パッチの前記隆起部の向きに平行である
請求項６に記載のアンテナ。
【請求項８】
前記第２導電パッチの前記長手方向は、前記第１導電パッチの前記隆起部の向きに平行であり、
前記第４導電パッチの前記長手方向は、前記第３導電パッチの前記隆起部の向きに垂直である
請求項６に記載のアンテナ。
【請求項９】
前記第１導電層の内部に含まれている第５導電パッチと、
前記第２導電層の内部に含まれている第６導電パッチと、
前記第１導電層の内部に含まれている第７導電パッチと、
前記第２導電層の内部に含まれている第８導電パッチと
を更に備え、
前記第１、前記第２、前記第３、前記第４、前記第５、前記第６、前記第７および前記第８導電パッチは、前記絶縁体によって互いに絶縁されており、
前記第５および前記第７導電パッチのそれぞれは、向かい合う二辺に複数の起伏を備える長方形の形状を持ち、
前記複数の起伏のそれぞれは、
複数の長方形の隆起部と、
複数の長方形の溝部と
を備え、
前記第６および前記第８導電パッチのそれぞれは、長手方向が前記第２導電パッチの前記長手方向に対して平行に配置された長方形の形状を持ち、給電点に更に接続され、
前記第５および前記第７導電パッチの前記複数の隆起部は、前記第６および前記第８導電パッチの前記長手方向に対してそれぞれ平行に配置されている
請求項７に記載のアンテナ。
【請求項１０】
前記第１導電層の内部に含まれている第５導電パッチと、
前記第２導電層の内部に含まれている第６導電パッチと、
前記第１導電層の内部に含まれている第７導電パッチと、
前記第２導電層の内部に含まれている第８導電パッチと
を更に備え、
前記第１、前記第２、前記第３、前記第４、前記第５、前記第６、前記第７および前記第８導電パッチは、前記絶縁体によって互いに絶縁されており、
前記第５および前記第７導電パッチのそれぞれは、向かい合う二辺に複数の起伏を備える長方形の形状を持ち、
前記複数の起伏は、
複数の長方形の隆起部と
複数の長方形の溝部と
を備え、
前記第６および前記第８導電パッチのそれぞれは、長手方向が前記第２導電パッチの前記長手方向に対して平行に配置された長方形の形状を持ち、給電点に更に接続され、
前記第５導電パッチの前記複数の隆起部は、前記第６導電パッチの前記長手方向に対して平行に配置され、
前記第７導電パッチの前記複数の隆起部は、前記第８導電パッチの前記長手方向に対して垂直に配置されている
請求項８に記載のアンテナ。
【手続補正２】
【補正対象書類名】明細書
【補正対象項目名】００２４
【補正方法】変更
【補正の内容】
【００２４】
絶縁体は、第１パッチ２０１および第２パッチ２０３の間に配置することができる。グラウンド板は、第１パッチ２０１および第２パッチ２０３の下にあってもよく、この場合、絶縁体は、第２導電パッチ２０３とグラウンド板との間に配置されていてもよい。
【手続補正３】
【補正対象書類名】明細書
【補正対象項目名】００２７
【補正方法】変更
【補正の内容】
【００２７】
したがって、給電する第２パッチの長手方向に対して垂直に向けられたパッチの複数の起伏は、他のインピーダンス変換回路を与える。
【手続補正４】
【補正対象書類名】明細書
【補正対象項目名】００７１
【補正方法】変更
【補正の内容】
【００７１】
この典型的な実施形態において、起伏１２０２および１２３２の隆起部１２０７および１２３７は、長方形の第２導電パッチ１２０３および１２２３の長手方向に対してそれぞれ平行であり、また、起伏１２１２および１２２２の隆起部１２１７および１２２７は、長方形の第２導電パッチ１２１３および１２２３の長手方向に対してそれぞれ垂直である。アンテナ素子のこの配列は、放射場において円偏光または楕円偏光を得るためにも使用することができる。
【手続補正５】
【補正対象書類名】図面
【補正対象項目名】図１２
【補正方法】変更
【補正の内容】
【図１２】
2014517549.tif 000023
【国際調査報告】
2014517549.tif 000024